(57)【特許請求の範囲】
【請求項１】
回転可能に設けられ、中間部に貫通した穴が形成されたリフトアームと、
窓ガラスに取り付けられると共に窓ガラスの開閉方向と交差する方向に延びたガイドが形成され、該ガイドにて前記リフトアームの先端部と係合するリフトアームブラケットと、
第１アーム部、第２アーム部からなり、前記リフトアームの穴を介して前記第１アーム部と第２アーム部とが取り付けられることにより、前記リフトアームの中間部に回動可能に、且つ前記リフトアームとＸ字状に交差するように中間部が枢着され、先端部は前記リフトアームブラケットに係合するイコライザアームと、
前記リフトアームブラケットのガイドと平行なガイドが形成され、該ガイドでもって前記イコライザアームの基端部を案内するイコライザアームブラケットとを有し、
前記リフトアームを回転させ、前記窓ガラスを開閉させるウインドレギュレータにおいて、
前記第２アーム部に前記リフトアームの穴に回動可能に嵌合する円筒状の第１凹部を設け、
前記第２アーム部の第１凹部の底面に形成された貫通した穴，前記第１アーム部に形成され、前記第２アーム部の穴を挿通し、前記第２アーム部の穴から外部に突出した部分が前記第２アーム部の穴の周縁に当たるようにかしめられた第１凸部からなり、前記第１アーム部と前記第２アーム部の剥離を禁止する剥離禁止部と、
前記第１アーム部、第２アーム部のうち、どちらか一方のアーム部に形成された第２凹部，他方のアーム部に形成され、前記第２凹部に係合する第２凸部からなり、前記第１アーム部と前記第２アーム部との相対回転を禁止する回転禁止部と、
を有し、
更に、前記第２凸部は、少なくとも、前記第１アーム部、第２アーム部のうち、他方のアーム部から前記一方のアーム部に向けて折曲された第１壁部と、前記他方のアーム部から前記一方のアーム部に向けて折曲され、前記第１壁部と空間を介して対向する第２壁部と、前記第１壁部の先端部と、前記第２壁部の先端部を橋渡しするように設けられた橋渡し部とを有し、
前記回転禁止部の第２凸部は、前記第２アーム部の穴の半径方向において、前記剥離禁止部より外側に形成され、
前記剥離禁止部と前記回転禁止部とは離れた位置にあることを特徴とするウインドレギュレータ。
【請求項２】
前記回転禁止部の第２凹部は前記第１アーム部に形成され、
前記第２凹部に係合する第２凸部は前記第２アーム部に形成されていることを特徴とする請求項１記載のウインドレギュレータ。
【発明の詳細な説明】
【技術分野】
【０００１】
本発明は、回転可能に設けられ、中間部に貫通した穴が形成されたリフトアームと、窓ガラスに取り付けられると共に窓ガラスの開閉方向と交差する方向に延びたガイドが形成され、該ガイドにて前記リフトアームの先端部と係合するリフトアームブラケットと、第１アーム部、第２アーム部からなり、前記リフトアームの穴を介して前記第１アーム部と第２アーム部とを接合することにより、前記リフトアームの中間部に回動可能に、且つ前記リフトアームとＸ字状に交差するように中間部が枢着され、先端部は前記リフトアームブラケットに係合するイコライザアームと、ガイドが形成され、該ガイドでもって前記イコライザアームの基端部を案内するイコライザアームブラケットとを有し、前記リフトアームを回転させ、前記窓ガラスを昇降させるウインドレギュレータに関する。
【背景技術】
【０００２】
最初に、図６を用いて、Ｘアーム式のウインドレギュレータを説明する。
図において、ベースプレート１は図示しないドアパネル（インナ）に取り付けられるもので、このベースプレート１には、ピン２でもって、ドリブンギヤ３が回転可能に取り付けられている。このピン２は、ドリブンギヤ３の歯先円の中心に位置している。
【０００３】
図６に示すウインドレギュレータは、パワー式のウインドレギュレータであるため、ベースプレート１には、駆動用モータ４が減速ギヤボックスと共に取り付けられており、その最終出力軸である回転軸４ａには、図６には現れていないが、ピニオンが設けられ、このピニオンにドリブンギヤ３の歯部３ａが噛合している。このため、モータ４により、回転軸４ａが図６において時計方向に駆動されればドリブンギヤ３は反時計方向に回転し、逆に、回転軸４ａが反時計方向に駆動されればドリブンギヤ３は時計方向に回転することになる。
【０００４】
リフトアーム５は、ドリブンギヤ３に歯先円の半径方向に向けて取り付けられている。
リフトアームブラケット６は、図示しない窓ガラスの下部に取り付けられるもので、断面が略Ｃ形をしており、窓ガラスの開閉方向Ｍと交差する方向に延びたスリット状のガイド６ａが形成されている。このリフトアームブラケット６には、ガイド６ａに沿って移動可能なスライダ７が嵌合している。スライダ７はピン８でもってリフトアーム５に回動可能に係止されている。
【０００５】
イコライザアーム１０は、リフトアーム５の中間部に回動可能に且つＸ字状に交差するように中間部が枢着されている。詳しく説明すると、イコライザアーム１０は、別々に成形した第１アーム部１１と第２アーム部１２とを一体的に取り付けることにより構成している。即ち、図６の切断線Ａ−Ａの断面図である図７に示すように、リフトアーム５の穴５１ｃに回動可能に嵌入された第１アーム部１１の円筒部１１４と、リフトアーム５を間にして第１アーム部１１に対向配置された第２アーム部１２の円筒部１２４とは、互いに端面（底部）が突き当てられた状態でプロジェクション溶接法により取り付けられる。このため、第１アーム部１１と第２アーム部１２とは、リフトアーム５の表裏にて、一体的となって回動することになる。
【０００６】
再び、図６に戻って、イコライザアームブラケット１３は、図示しないドアパネル（インナ）に取り付けられるもので、断面が略Ｃ形をしており、リフトアームブラケット６のガイド６ａと平行なガイド１３ａが形成されている。このイコライザアームブラケット１３には、ガイド１３ａに沿って移動可能なスライダ１４が嵌合している。スライダ１４はピン１５でもってイコライザアーム１０の基端部（第１アーム部１１）に回動可能に係止されている。
【０００７】
一方、イコライザアーム１０の先端部（第２アーム部１２）には、スライダ１６がピン１７でもって回動可能に係止され、このスライダ１６がリフトアームブラケット６のガイド６ａに沿って移動可能に嵌合している。
【０００８】
次に、上記構成のＸアーム式ウインドレギュレータの作動について説明する。
図６は窓ガラスを閉めた状態を示している。このため、窓ガラスが窓枠に当接するまで、リフトアーム５は反時計方向に回転している。この状態から、窓ガラスを下降させるには、モータ４により、回転軸４ａを図６における反時計方向に駆動して、リフトアーム５を時計方向に回転させればよい。このように駆動すれば、リフトアーム５の回転に連動して、イコライザアーム１０は反時計方向に回転し、結局、スライダ７及び１６が、ガイド６ａの案内方向に移動しながら下降し、リフトアームブラケット６をＭ方向に下降させることになる。よって、窓ガラスも下降する。この後、窓ガラスを上昇させるには、モータ４で回転軸４ａを時計方向に駆動すればよい。
【特許文献１】特開２００１−２１９２７８号公報（図４−図５）
【発明の開示】
【発明が解決しようとする課題】
【０００９】
しかし、イコライザアーム１０の第１アーム部１１と第２アーム部１２とは、プロジェクション溶接法により取り付けられる。従って、プロジェクション形状のバラツキ、電極の摩耗、ナゲット（溶接部に生じる溶融凝固した部分）への異物の混入等の理由により、溶接状態の管理が繁雑となっている。一方、溶接部は、第１アーム部１１の円筒部１１４の端面（底面）と、第２アーム部１２の円筒部１２４の端面（底面）とが突き当てられた箇所に形成される。
【００１０】
よって、目視による溶接部の品質確認ができず、破壊による第１アーム部と第２アーム部との取り付けの品質確認を行なうことになり、コストがかかってしまう。
本発明は、上記問題点に鑑みてなされたもので、その課題は、目視で、第１アーム部と第２アーム部との取り付けの品質確認が可能なウインドレギュレータを提供することにある。
【課題を解決するための手段】
【００１１】
請求項１に係る発明は、回転可能に設けられ、中間部に貫通した穴が形成されたリフトアームと、窓ガラスに取り付けられると共に窓ガラスの開閉方向と交差する方向に延びたガイドが形成され、該ガイドにて前記リフトアームの先端部と係合するリフトアームブラケットと、第１アーム部、第２アーム部からなり、前記リフトアームの穴を介して前記第１アーム部と第２アーム部とが取り付けられることにより、前記リフトアームの中間部に回動可能に、且つ前記リフトアームとＸ字状に交差するように中間部が枢着され、先端部は前記リフトアームブラケットに係合するイコライザアームと、前記リフトアームブラケットのガイドと平行なガイドが形成され、該ガイドでもって前記イコライザアームの基端部を案内するイコライザアームブラケットとを有し、前記リフトアームを回転させ、前記窓ガラスを開閉させるウインドレギュレータにおいて、前記第２アーム部に前記リフトアームの穴に回動可能に嵌合する円筒状の第１凹部を設け、前記第２アーム部の第１凹部の底面に形成された貫通した穴，前記第１アーム部に形成され、前記第２アーム部の穴を挿通し、前記第２アーム部の穴から外部に突出した部分が前記第２アーム部の穴の周縁に当たるようにかしめられた第１凸部からなり、前記第１アーム部と前記第２アーム部の剥離を禁止する剥離禁止部と、前記第１アーム部、第２アーム部のうち、どちらか一方のアーム部に形成された第２凹部，他方のアーム部に形成され、前記第２凹部に係合する第２凸部からなり、前記第１アーム部と前記第２アーム部との相対回転を禁止する回転禁止部と、を有し、更に、前記第２凸部は、少なくとも、前記第１アーム部、第２アーム部のうち、他方のアーム部から前記一方のアーム部に向けて折曲された第１壁部と、前記他方のアーム部から前記一方のアーム部に向けて折曲され、前記第１壁部と空間を介して対向する第２壁部と、前記第１壁部の先端部と、前記第２壁部の先端部を橋渡しするように設けられた橋渡し部とを有し、前記回転禁止部の第２凸部は、前記第２アーム部の穴の半径方向において、前記剥離禁止部より外側に形成され、前記剥離禁止部と前記回転禁止部とは離れた位置にあることを特徴とするウインドレギュレータである。
請求項２に係る発明は、前記回転禁止部の第２凹部は前記第１アーム部に形成され、前記第２凹部に係合する第２凸部は前記第２アーム部に形成されていることを特徴とする請求項１記載のウインドレギュレータである。
【発明の効果】
【００１２】
請求項１に係る発明によれば、第１アーム部の第１凸部が外部に露出する。よって、目視で、第１アーム部と第２アーム部との取り付けの品質確認が可能である。
更に、前記第２凸部は、少なくとも、前記第１アーム部、第２アーム部のうち、他方のアーム部から前記一方のアーム部に向けて折曲された第１壁部と、前記他方のアーム部から前記一方のアーム部に向けて折曲され、前記第１壁部と空間を介して対向する第２壁部と、前記第１壁部の先端部と、前記第２壁部の先端部を橋渡しするように設けられた橋渡し部とを有している。よって、第２凸部は、少なくとも第１壁部と第２壁部とを有している。即ち、第２凸部は少なくとも両持ち構造(両側がアーム部に支持された構造)であり、片持ち構造ではないので、強度が高い。
【発明を実施するための最良の形態】
【００１３】
本形態例のウインドレギュレータの構成と、背景技術の欄で説明したウインドレギュレータとの構成との相違点は、リフトアームとイコライザアームとの取り付けであり、他の部分は同一であるので、同一部分には同一符号を付し、重複する説明は省略する。
【００１４】
本形態例のイコライザアーム１０１０は、図５に示すように、背景技術の欄で説明したウインドレギュレータとの構成と同様に、第１アーム部１０１１と、第２アーム部１０１２とからなり、リフトアーム１００５の穴を介して第１アーム部１０１１と第２アーム部１０１２とが取り付けられることにより、リフトアーム１００５の中間部に回動可能に、且つリフトアーム１００５とＸ字状に交差するように中間部が枢着されている。
【００１５】
次に、図１−図２を用いて、リフトアーム１００５とイコライザアーム１０１０との取り付けを説明する。図１は図５の切断線Ｂ−Ｂでの断面図、図２は図５の切断線Ｃ−Ｃでの断面図である。
【００１６】
図１−図２に示すように、リフトアーム１００５の中間部には、バーリング加工法等により、貫通した円形の穴１００５ａが形成され、円形の穴１００５ａの周面に沿って、イコライザアーム１０１０の第２アーム部１０１２方向に延びる円筒状の立壁部１００５ｂが形成されている。
【００１７】
リフトアーム１００５の上側に配置されるイコライザアーム１０１０の第２アーム部１０１２には、リフトアーム１００５の立壁部１００５ｂ内に嵌合する円筒状の凹部１０１２ｂが形成されている。この凹部１０１２ｂの外周部分は、リフトアーム１００５の円形穴１００５ａを回転可能に支持する円筒部１０１２ｃとなっている。又、この凹部１０１２ｂの底面には、貫通した穴１０１２ａが形成されている。
【００１８】
リフトアーム１００５の下側に配置されるイコライザアーム１０１０の第１アーム部１０１１には、バーリング加工法等により、貫通した円形の穴１０１１ａが形成され、穴１０１１ａの周面に沿って立壁部（第１凸部）１０１１ｂが形成されている。この立壁部１０１１ｂは、第２アーム部１０１２の穴１０１２ａを挿通し、第２アーム部１０１２の穴１０１２ａから外部に突出し、第２アーム部１０１２の穴１０１２ａから外部に突出した部分が第２アーム部１０１２の穴１０１２ａの周縁に当たるようにかしめられている。
【００１９】
又、第１アーム部１０１１の立壁部１０１１ｂの周りには、９０°ピッチで４カ所の矩形の貫通した穴（凹部）１０１１ｄが形成されている。
一方、第２アーム部１０１２には、穴１０１１ｄに係合する第２凸部としての凸部１０１２ｄが形成されている。この凸部１０１２ｄは、塑性加工法により形成され、図１のＤ方向矢視図である図３に示すように、第２アーム部１０１２から第１アーム部１０１１に向けて折曲された第１壁部１０１２ｅと、第２アーム部１０１２から第１アーム部１０１１に向けて折曲され、第１壁部１０１２ｅと空間を介して対向する第２壁部１０１２ｆと、第１壁部１０１２ｅの先端部と、第２壁部１０１２ｆの先端部を橋渡しするように設けられた橋渡し部１０１２ｇとを有している。そして、第１壁部１０１２ｅ、第２壁部１０１２ｆ、橋渡し部１０１２ｇに隣接する２つの部分は、対向する２つ穴１０１２ｈが形成されている。本形態例では、第２アーム部１０１２の半径方向に沿って、第１壁部１０１２ｅと第２壁部１０１２ｆとを設けた。
【００２０】
よって、第１アーム部１０１１の立壁部（凸部）１０１１ｂの先端と、第２アーム部１０１２の穴１０１２ａとで、第１アーム部１０１１と第２アーム部１０１２との剥離を禁止する剥離禁止部となっている。
【００２１】
又、第１アーム部１０１１に形成された穴（凹部）１０１１ｄと、第２アーム部１０１２の穴１０１１ｄに係合する凸部１０１２ｄとで、第１アーム部１０１１と第２アーム部１０１２との相対回転を禁止する回転禁止部となっている。
【００２２】
このようなウインドレギュレータによれば、以下のような効果をえることができる。
（１）第１アーム部１０１１の立壁部１０１１ｂの先端と、第２アーム部１０１２の凸部１０１２ｄが外部に露出している。よって、目視で、第１アーム部と第２アーム部との取り付けの品質確認が可能である。
（２）第２凸部としての凸部１０１２ｄは、第２アーム部１０１２から離れる方向に折曲された第１壁部１０１２ｅと、第２アーム部１０１２から離れる方向に折曲され、第１壁部と空間を介して対向する第２壁部１０１２ｆと、第１壁部１０１２ｅの先端部と、第２壁部１０１２ｆの先端部を橋渡しするように設けられた橋渡し部１０１２ｇとを有している。よって、凸部１０１２ｄは、少なくとも第１壁部１０１２ｅと第２壁部１０１２ｆとを有する両持ち構造であり、片持ち構造ではないので、強度が高い。
【００２３】
尚、本発明は、上記形態例に限定するものではない。例えば、上記形態例では、回転禁止部の穴を第１アーム部１０１１に設け、切り欠き部を第２アーム部１０１２に設けたが、逆に、回転禁止部の穴を第２アーム部１０１２に設け、切り欠き部を第１アーム部１０１１に設けてもよい。
【００２４】
又、図３に示す第２凸部としての凸部１０１２ｄは、第２壁部１０１２ｆ、橋渡し部１０１２ｇに隣接する２つの部分は、対向する２つ穴１０１２ｈとしたが、図４に示すように、穴１０１２ｈの部分を対向する第３壁部１０１２ｉ、第４壁部１０１２ｊとしてもよい。
【００２５】
更に、上記形態例では、凸部１０１２ｄの第１壁部１０１２ｅと第２壁部１０１２ｆとは、第２アーム部１０１２の半径方向に沿って設けたが、第２アーム部１０１２の回転軸を中心とする円周の接線方向に沿って設けてもよい。
【００２６】
又、穴１０１１ｄを凹部(板をへこませたもの)にしてもよい。
更に、第２アーム部１０１２の穴１０１２ａを非円形の穴とし、穴１０１２ａに嵌合する第１アーム１０１１の立壁部１０１１ｂの周面の形状を第１アーム部１０１１と第２アーム部１０１２とが一体となって回転するような非円形としてもよい。
【図面の簡単な説明】
【００２７】
【図１】図５の切断線Ｂ−Ｂでの断面図である。
【図２】図５の切断線Ｃ−Ｃでの断面図である。
【図３】図１のＤ方向矢視図である
【図４】他の形態例を説明する図である。
【図５】形態例のリフトアームとイコライザアームとが取り付けられた箇所を示す図である。
【図６】Ｘアーム式のウインドレギュレータを説明する図である。
【図７】図６の切断線Ａ−Ａの断面図である。
【符号の説明】
【００２８】
１００５  リフトアーム
１００５ａ  穴
１０１０  イコライザアーム
１０１１  第１アーム部
１０１１ａ  穴
１０１１ｂ  立壁部（第１凸部）
１０１２  第２アーム部
１０１２ａ  穴
１０１２ｄ  凸部（第２凸部）
【図１】
0005134426.tif 000002
【図２】
0005134426.tif 000003
【図３】
0005134426.tif 000004
【図４】
0005134426.tif 000005
【図５】
0005134426.tif 000006
【図６】
0005134426.tif 000007
【図７】
0005134426.tif 000008